(57)【要約】【課題】車両に積載された長尺物に表示体を取り付ける際に、簡単に、かつ安全に取り付け可能な長尺物運搬用表示具を提供する。【解決手段】長尺物１の端部外周に巻きつけて表示体２を長尺物１に取り付けるロープ３と、長尺物１へ巻きつけるため輪状にしたロープ３の端部を束ねるロープ係止具５とから成り、ロープ３のロープ係止具５から導出した一端には表示体２が取り付けられ、他端には環体部４を設け、ロープ係止具５は二つの貫通孔を有し、各貫通孔はロープ３の各端部が摺動自在に挿入され、環体部４を有する端部を通した一方の貫通孔の一端側面にロープ３を挟んで留める切り欠き部を設ける構成とすることにより、地上から車両に積載された長尺物１に表示体２を取り付けることができるため、簡単に、かつ安全に取り付け作業を行うことができる。【選択図】図１
0003141012.tif 000002
【実用新案登録請求の範囲】
【請求項１】
車両の荷台に積載して運搬する長尺物の端部に取り付ける表示体において、
前記長尺物の端部外周に巻きつけて前記表示体を当該長尺物に取り付けるロープと、前記長尺物へ巻きつけるため輪状にした当該ロープの端部を束ねるロープ係止具とから成り、
前記ロープの前記ロープ係止具から導出した一端には前記表示体が取り付けられ、他端には環体部を設け、
前記ロープ係止具は二つの貫通孔を有し、当該各貫通孔は前記ロープの各端部が摺動自在に挿入され、前記環体部を有する端部を通した一方の貫通孔の一端側面に前記ロープを挟んで留める切り欠き部を設けることを特徴とする、長尺物運搬用表示具。
【請求項２】
前記ロープは伸縮自在な弾性体であることを特徴とする、請求項１に記載の長尺物運搬用表示具。
【請求項３】
前記輪状にしたロープの外周に円弧保持部材を被冠することを特徴とする、請求項1又は２に記載の長尺物運搬用表示具
【請求項４】
前記円弧保持部材はスパイラル状のばね材から成ることを特徴とする、請求項３に記載の長尺物運搬用表示具。
【請求項５】
前記円弧保持部材は管状の樹脂材から成ることを特徴とする、請求項３に記載の長尺物運搬用表示具。
【請求項６】
前記表示体が旗であることを特徴とする、請求項1〜５に記載の長尺物運搬用表示具。
【請求項７】
前記ロープ係止具の他方の貫通孔の一端側面に前記ロープを挟んで留める切り欠き部を設けることを特徴とする、請求項１〜６に記載の長尺物運搬用表示具。
【考案の詳細な説明】
【技術分野】
【０００１】
この考案は、車両の荷台に積載して長尺物を運搬する際に、当該長尺物の端部に容易に取り付けることができる長尺物運搬用表示具に関するものである。
【背景技術】
【０００２】
車両１４の荷台より突出する電柱等の長尺物１の運搬には、危険防止のため図８に示すように当該長尺物１の端部に赤い布地から成る旗１５を取付けることが義務付けられている。この旗１５を長尺物１に取り付ける際には、従来からバインド線や平ゴム紐等を用いて、作業員が直接手作業により取り付けていた。
【考案の開示】
【考案が解決しようとする課題】
【０００３】
しかしながら、車両に積載された状態の長尺物に旗を取り付ける際には、作業員が積載物に載って取り付けるか、脚立などを使用して取り付ける等、取り付け作業を不安定な姿勢で行わなければならず、取り付けが困難で、落下等の危険もあった。
【０００４】
そこでこの考案では、上述の課題を解決するため、車両の荷台に積載された長尺物に旗等の表示体を地上から容易に取り付けることのできる長尺物運搬用表示具を提供するものである。
【課題を解決するための手段】
【０００５】
上記課題を解決するため、請求項１の考案は、車両の荷台に積載して運搬する長尺物の端部に取り付ける表示体において、
前記長尺物の端部外周に巻きつけて前記表示体を当該長尺物に取り付けるロープと、前記長尺物へ巻きつけるため輪状にした当該ロープの端部を束ねるロープ係止具とから成り、
前記ロープの前記ロープ係止具から導出した一端には前記表示体が取り付けられ、他端には環体部を設け、
前記ロープ係止具は二つの貫通孔を有し、当該各貫通孔は前記ロープの各端部が摺動自在に挿入され、前記環体部を有する端部を通した一方の貫通孔の一端側面に前記ロープを挟んで留める切り欠き部を設ける、長尺物運搬用表示具とした。
【０００６】
また請求項２の考案は、前記ロープは伸縮自在な弾性体である、請求項１に記載の長尺物運搬用表示具とした。
【０００７】
また請求項３の考案は、前記輪状にしたロープの外周に円弧保持部材を被冠する、請求項１又は２に記載の長尺物運搬用表示具とした。
【０００８】
また請求項４の考案は、前記円弧保持部材はスパイラル状のばね材から成る、請求項３に記載の長尺物運搬用表示具とした。
【０００９】
また請求項５の考案は、前記円弧保持部材は管状の樹脂材から成る、請求項３に記載の長尺物運搬用表示具とした。
【００１０】
また請求項６の考案は、前記表示体が旗である、請求項1〜５に記載の長尺物運搬用表示具とした。
【００１１】
また請求項７の考案は、前記ロープ係止具の他方の貫通孔の一端側面に前記ロープを挟んで留める切り欠き部を設ける、請求項1〜６に記載の長尺物運搬用表示具とした。
【考案の効果】
【００１２】
請求項１〜７の考案によれば、輪状にしたロープを、上部にＳ字フックを設けた作業棒の前記フックの下側の湾曲部に引っ掛けて、地上から長尺物の端部にこれを掛け、前記ロープの一端の環体部を前記作業棒のＳ字フックの上側の湾曲部に引っ掛けて、これを下方へ引けば、輪状のロープは前記長尺物の端部外周に巻き付けられる。そこで環体部を有するロープを前記作業棒によって斜めにすれば、ロープ係止具の切り欠き部にロープが係止される。これにより長尺物の端部に表示体が吊り下がり固定される。従って、車両に積載された長尺物に載ったり、脚立を使用せずに地上から、当該長尺物に旗等の表示体を簡単に、かつ安全に取り付けることができる。また、ロープとロープ係止具を用いて表示体を長尺物に取り付ける構成としたため、表示体を直接長尺物に結びつける場合に比して作業が簡単になる。
【００１３】
また特に請求項２の考案によれば、長尺物の端部に巻きつけるロープがゴム等の弾性体であるため、張力をかけるとロープが細くなり、ロープ係止具の切り欠き部への引っ掛けや取り外しがしやすくなる。また、ロープがゴム等の弾性体であると、長尺物に巻きつけた場合に、当該弾性体の有する復元力によって長尺物の端部にしっかりと巻きつき、外れにくくなる。
【００１４】
また特に請求項３〜５の考案によれば、前記輪状にしたロープの外周にスパイラル状のばね材や管状の樹脂材等の円弧保持部材を被冠する構成としたため、長尺物の端部にロープを引っ掛ける際に、ロープの輪形状が保持され、作業が簡単になる。
【考案を実施するための最良の形態】
【００１５】
車両の荷台に積載して運搬する長尺物の端部に取り付ける表示体において、前記長尺物の端部外周に巻きつけて前記表示体を当該長尺物に取り付けるロープと、前記長尺物へ巻きつけるため輪状にした当該ロープの端部を束ねるロープ係止具とから成り、前記ロープの前記ロープ係止具から導出した一端には前記表示体が取り付けられ、他端には環体部を設け、前記ロープ係止具は二つの貫通孔を有し、当該各貫通孔は前記ロープの各端部が摺動自在に挿入され、前記環体部を有する端部を通した一方の貫通孔の一端側面に前記ロープを挟んで留める切り欠き部を設ける構成とすることにより、車両に積載された長尺物に表示体を地上から取り付けることができるため、簡単に、かつ安全に取り付け作業を行うことができる。
【実施例１】
【００１６】
以下、この考案の実施例１を図１〜７に基づいて説明する。
図１は、長尺物１の端部に表示体２を、ロープ３を用いて引っ掛けた状態を示している。長尺物１としては例えば、電柱、鋼材、Ｈ鋼がある。表示体２としては、例えば赤い布地の赤旗・反射旗等の旗や反射板やすずらん灯等の標灯やランプがあり、本実施例では赤旗が示されている。ロープ３の一端には表示体２が結びつけられている。ロープ３の他端は、当該ロープ３の端部を丸めて結び、環体部４が設けられている。この環体部４に、後述する作業棒１０のＳ時フック１１を引っ掛けてロープ３を引っ張る。従って作業棒１０のＳ字フック１１を引っ掛けることができれば、ロープ３の他端にロープ３の端部を丸めて結んで環体部４を設けるのではなく、ロープ３の他端に別設のリング等の環状体を取り付けて環体部４を設ける構成としてもよい。また、ロープ３はゴムロープ等の弾性体であることが望ましい。張力をかけると細くなるため、後述するロープ係止具５の切り欠き部８への引っ掛けや取り外しが容易になる。またロープ３を長尺物１の端部に巻きつけた場合に、弾性体の有する復元力によって長尺物１の端部外周にしっかりと巻きつき、外れにくくなる。
【００１７】
図２は、本実施例のロープ係止具５を示したものであり、(a)平面図、(b)正面図、(c)左側面図、(d)右側面図である。図２で示すように、ロープ係止具５は二つの略筒体６を軸方向に平行に接合した構成であり、各略筒体６の軸方向に貫通孔７が設けられており、この各貫通孔７にロープ３の各端部が摺動自在に挿入される。また各貫通孔７の一端側面には、切り欠き部８が設けられている。これらの切り欠き部８は隣接する貫通孔７において上下逆の位置に設けられており、これらの各切り欠き部８にロープ３を挟んで留める。なお実施例では、ロープ係止具５の外面形状として２つの略筒体６を軸方向に平行に接合した構成を示しているが、この構成に限られるものではなく、ロープ３を通す貫通孔７を平行に二つ、一定長設けることができれば、ロープ係止具５の外面形状は例えば、円柱形でも角柱形であってもよい。また、本実施例では切り欠き部８を２つの貫通孔７にそれぞれ設ける構成としたが、いずれか一方の貫通孔７に切り欠き部８を設ける構成でもよく、その場合には切り欠き部８が設けられている貫通孔７に、環体部４が設けられるロープ３の一端側を通す必要がある。
【００１８】
円弧保持部材９は、図１に示すように、ロープ３の、長尺物１へ巻きつけるため輪状にした部分(＝輪１２)の外周に、移動自在に被冠されている。円弧保持部材９は、一定の可撓性を有し一定の荷重によって曲がるが、復元力があるため一定以上は曲がらない。従ってロープ３の円弧保持部材９が巻きつけられている部分は、円弧保持部材９に支持されて、円弧形状が維持される。また、円弧保持部材９は一定の可撓性を有するため、長尺物１の端部にロープ３を巻きつけた際にも、ロープ３が長尺物１の端部に巻きつくのを、円弧保持部材９が邪魔することはなく、長尺物１の外周に沿って曲がる。なお本実施例においては、円弧保持部材９としてスパイラル状のばねを示しているが、円弧保持部材９は一定の可撓性を有する略円筒形のものであればよく、例えば、円筒形のゴムチューブ等の管状の樹脂材でもよい。
【００１９】
作業棒１０は、図３に示すように一定長の長さを有し、先端にＳ字フック１１が設けられている。このＳ字フック１１は、作業棒１０の上端に当てた上から締付金具１３で締め付けて、作業棒１０に固定する。後述するようにＳ字フック１１の下側の湾曲部１１aは円弧保持部材９を引っ掛けるのに使用する。一方、Ｓ字フック１１の上側の湾曲部１１bはロープ３の環体部４に引っ掛けるのに使用する。
【００２０】
次に本実施例に係る長尺物運搬用表示具を、長尺物１への取り付け手順に従って説明する。まず図１に示す長尺物運搬用表示具の表示体２が結びつけられている側のロープ３は、ロープ係止具５の、当該ロープ３が摺動自在に挿入されている貫通孔７の切り欠き部８に挟んで留めておく。
【００２１】
そして図４に示すように作業員は、Ｓ字フック１１の下側の湾曲部１１aに長尺物運搬用表示具の円弧保持部材９を引っ掛けて持ち上げて、長尺物１の端部付近まで持って行く。それから図１に示すように、ロープ３でつくった輪１２を長尺物１の端部外周に引っ掛ける。なおこの際、円弧保持部材９が輪１２の上側にあり、輪１２は円弧保持部材９に支持されているため、輪１２の円弧形状はあまり崩れない。従ってロープ３を長尺物１の端部外周に引っ掛けやすい。
【００２２】
そして前記ロープ３の一端の環体部４を作業棒１０のＳ字フック１１の上側の湾曲部１１bに引っ掛けて、これを下方へ引けば、ロープ３の輪１２は長尺物１の端部外周に巻き付けられる。それから環体部４に、作業棒１０の湾曲部１１bを引っ掛けた状態で、作業棒１０でロープ３を斜めに引っ張って、図５及び図６に示すようにロープ３を、ロープ係止具５の切り欠き部８に挟んで留める。これで図７に示すように、長尺物１の端部に表示体２が吊り下がり固定される。このように本実施例ではロープ係止具５に通した一方のロープ３、即ち表示体２を設けたロープ３端をロープ係止具５の一方の貫通孔７の切り欠き部８に挟んで留めているので、ロープ係止具５の他方の貫通孔７に通したロープ３端を引っ張ればロープ３の輪１２は長尺物１の端部外周にぴったりと巻き付けられる。上記に代えて表示体２を有するロープ３の、ロープ係止具５に導入される箇所にロープ係止具５の貫通孔７より大径の結び目を設けておけば、結び目でロープ３が留まり、ロープ３を環体部４から引っ張れば、ロープ３の輪１２は長尺物１の端部外周に巻き付けられる。
【００２３】
一方、表示体２を長尺物１の端部から取り外す場合には、環体部４に、作業棒１０のＳ字フック１１の上側の湾曲部１１bを引っ掛けてロープ３の一端を下側に引っ張って、ロープ３を切り欠き部８から外し、作業棒１０のＳ字フック１１の上側の湾曲部１１bを使ってロープ係止具５を引っ張り下げて、ロープ３の輪１２を拡げる。それから、作業棒１０のＳ字フック１１の下側の湾曲部１１aを使って、輪１２を引っ掛けて、ロープ３を長尺物１の端部外周から外す。このように本実施例に係る長尺物運搬用表示具を使用すれば、作業員は地上にいながら長尺物１の端部への表示体２の取り付け及び取り外し作業を行うことができ、安全かつ便宜である。
【図面の簡単な説明】
【００２４】
【図１】この考案の実施例１の表示体を長尺物に引っ掛けた状態を示した正面図である。
【図２】この考案の実施例１のロープ係止具を示すものであり、(a)は平面図、(b)は正面図、(c)は左側面図、(d)は右側面図である。
【図３】この考案の実施例１の作業棒を示す正面図である。
【図４】この考案の実施例１の表示体を長尺物に作業棒を用いて引っ掛けようとする状態を示した斜視図である。
【図５】この考案の実施例１の表示体を長尺物に取り付けた状態を示す正面図である。
【図６】この考案の実施例１のロープが切り欠き部に挟まれて留まっている状態を示す拡大側面図である。
【図７】この考案の実施例１の表示体の長尺物への取り付けが完了した状態を示す斜視図である。
【図８】車両に積載された長尺物に旗が取り付けられている状態を示す斜視図である。
【符号の説明】
【００２５】
１  長尺物、  ２  表示体、  ３  ロープ、  ４  環体部、５  ロープ係止具、  ６  略筒体、  ７  貫通孔、 ８  切り欠き部、  ９  円弧保持部材、  １０  作業棒、  １１  Ｓ字フック、  
１２  輪、 １３  締付金具、１４  車両、  １５  旗
【図１】
0003141012.tif 000003
【図２】
0003141012.tif 000004
【図３】
0003141012.tif 000005
【図４】
0003141012.tif 000006
【図５】
0003141012.tif 000007
【図６】
0003141012.tif 000008
【図７】
0003141012.tif 000009
【図８】
0003141012.tif 000010